(57)【要約】ＬＥＤ（発光ダイオード）（１）及び回転対称なボウル形状のコリメータレンズ（２）を有するＬＥＤモジュールを設ける。コリメータレンズが、屈折内壁（９）と、反射外壁（７）と、前記ＬＥＤが配置される凹部（４）を有する入射孔（３）を有する第１面（８）とを有し、前記コリメータレンズに、前記ＬＥＤから発生した光が生じる第２面も設けたＬＥＤモジュールにおいて、前記ＬＥＤモジュールが、以下の構造：（１）湾曲部を有する入射孔に屈折内面の凹部の円錐壁部、及び前記入射孔において光源の十分なコリメーションを行うために前記屈折内面の構造に従って構成した反射外面；（２）ＬＥＤソースから離間して凹部を設けたレンズの第１面；（３）前記レンズの屈折機能を分割する前記屈折壁の２面のうちの一つ以上も有する。ＬＥＤモジュールは、サイズの減少、ビーム拡散、ビームの一様性及び所定の効果に関して既知のフラットトップチューリップコリメータのパフォーマンスを向上する。さらに、種々のパフォーマンス特性を最適にする幅広い選択が可能となり、構造設計において柔軟性が更に高くなる。
2004516684.tif 000002
【特許請求の範囲】
【請求項１】
ＬＥＤ（発光ダイオード）及び回転対称でボウル形状のコリメータレンズを具え、そのコリメータレンズが、屈折内壁と、反射外壁と、前記ＬＥＤが配置される凹部を有する入射孔を有する第１面とを有し、前記コリメータレンズに、前記ＬＥＤから発生した光が生じる第２面も設けたＬＥＤモジュールにおいて、前記ＬＥＤモジュールが、以下の構造：
（１）湾曲部を有する入射孔に屈折内面の凹部の円錐壁部、及び前記入射孔において光源の十分なコリメーションを行うために前記屈折内面の構造に従って構成した反射外面；
（２）ＬＥＤソースから離間して凹部を設けたレンズの第１面；
（３）前記レンズの屈折機能を分割する前記屈折壁の２面
のうちの一つ以上も有することを特徴とするＬＥＤモジュール。
【請求項２】
前記入射孔の前記屈折内壁の凹部の前記円錐壁部が、湾曲部を有し、屈折内面の湾曲部が、光軸からの第１角を成し、その第１角は、基準コリメータの屈折壁の比較しうる部分の光軸からの第２角に比べて大きいことを特徴とする請求項１記載のＬＥＤモジュール。
【請求項３】
前記光軸に対して９０°の角度の前記屈折内壁の一部に対する正接の傾斜角が基準コリメータの屈折壁の比較しうる部分に比べて垂直面から離間した構造を設けることによって、前記湾曲部を達成することを特徴とする請求項１記載のＬＥＤモジュール。
【請求項４】
前記入射孔に近接する凹部の屈折内壁が、基準コリメータの正接の比較しうる勾配角に比べて著しく大きい角度で前記垂直面に対して傾斜した湾曲部を有することを特徴とする請求項３記載のＬＥＤモジュール。
【請求項５】
前記レンズを、第１面と第２面との間で分割したことを特徴とする請求項１記載のＬＥＤモジュール。
【請求項６】
前記第１面を、ＬＥＤセンターの頂点を有する光軸の回りでテーパ角レンズθの円錐内にある凹部の表面の境界を設定する部分とすることを特徴とする請求項５記載のＬＥＤモジュール。
【請求項７】
前記屈折内壁の表面を、一定倍率指定を用いて構成し、これによって、入力ビームの極角方向余弦の等間隔が出力ビームの軸からの半径距離の等間隔に写像するように、前記屈折壁及び前記反射壁を設定したことを特徴とする請求項１記載のＬＥＤモジュール。
【請求項８】
請求項１，２又は３に規定した１個又は複数のＬＥＤモジュールを収容するボックス形状ハウジングを具える照明装置。
【発明の詳細な説明】
【０００１】
技術の分野
本発明は、ＬＥＤ（発光ダイオード）及び回転対称のボウル形状コリメータを具え、そのコリメータレンズに、ＬＥＤが配置される凹部と、ＬＥＤから発生した光を発するとともにレンズの対称軸にほぼ平行に延在する面に垂直な平坦面とを設けたＬＥＤモジュールに関する。また、本発明は、複数のＬＥＤモジュールを設けた照明装置に関する。
【０００２】
背景技術
冒頭で説明したタイプのＬＥＤモジュールは、それ自体知られている。特願昭６１−１４７，５８５号の英文要約において、そのようなＬＥＤモジュールが記載されている。このＬＥＤモジュールは、基板上に固定されるとともにボウル形状のコリメータレンズの凹部に配置されたＬＥＤを具える。このレンズは、回転対称の形状を有し、関連の対称軸を有する。ＬＥＤの位置及びレンズの形状を互いに適切に設定して、ＬＥＤから発生した光の大部分が、屈折及び反射によって並行光ビームに変換され、その光ビームは、平坦面を通じてレンズを通過する。レンズ及び基板は、金属ハウジングに固定される。
【０００３】
このように既知のＬＥＤモジュールは、重大な欠点を有する。出射光は、レンズの対称軸にほぼ平行な方向でレンズを通過する。所定の状況の下で、対称軸からみて、平行ビームが所定の角度でレンズを通過するのが好ましい。
ここに参照することによって組み込まれた国際公開番号ＷＯ−Ａ００／２４，０６２号は、上記タイプのＬＥＤモジュールを提供することを目的とし、この場合、光は、レンズの対称軸に対して所定の角度で出射し、提案されたＬＥＤモジュールは更にコンパクトになり、ＬＥＤモジュールは簡単な構造を有し、その製造は廉価に行われる。ＬＥＤモジュールは、ＬＥＤ及び回転対称のボウル形状コリメータを具え、そのコリメータレンズに、ＬＥＤが配置される凹部と、ＬＥＤから発生した光を発するとともにレンズの対称軸にほぼ平行に延在する面に垂直な平坦面とを設け、この発明のＬＥＤモジュールは、出射光を偏向するための鋸歯形状の構造を表面に設けることを特徴とする。
【０００４】
この出願の発明は、レンズから出る並行ビームの偏向に対する良好な解決をそのような鋸歯形状の構造によって提供するという認識に基づく。歯の最大寸法が非常に小さい（１ｍｍより下）ので、そのような鋸歯形状の構造を、比較的肉薄（１ｍｍより下の厚さ）の層で設けることができる。そのような利点によって、ＬＥＤモジュールの最大寸法も限定されたままである。個別のプリズムをレンズの前方に配置し又はレンズを傾斜する他の解決と比較した場合、上記係属中の出願は、製造が容易なコンパクトかつ廉価なＬＥＤモジュールを提供する。そのようなコリメータは、「フラットトップチューリップ」（ｆｌａｔ ｔｏｐ ｔｕｌｉｐ）コリメータと称される。好適な実施の形態において、入射孔にあるエアが充填された窪みを有する固体プラスチックピースが好ましい。窪みの壁部は、（典型的には約２°のテーパ角の）環状円錐断面となり、窪みは、レンズ形状において終了する。（適切なパッケージ中の）ＬＥＤは、光を入射孔に放出し、その光は、二つの一般的な経路の一つに従う。一方の経路において、光は、固体コリメータの（円錐）内壁に当たり、この場合、光は、外壁に対して屈折され、その後、（典型的にはＴＩＲによって）出射孔に反射される。他の経路において、光は、屈折レンズ構造に当たり、その後、出射孔に向かって屈折される。これを、図１Ａ及び１Ｂにおいて線形的に示す。コリメータは、理想的な点光源からの完全にコリメートされた光を焦点に生じるように設計される。コリメータを、（ＬＥＤチップのような）かなりの表面領域の実際に延長された光源とともに使用する場合、コリメーションは不完全となる（すなわち、機能的な理由から任意の設計に対してコリメーションを完全にすることができない。）。その代わりに、それは、テーパ角θの発散円錐ビームに指導される。この角度θを向上（すなわち減少）することが、この発明の主な目的である。
【０００５】
この発明は、サイズの減少、ビームの発散、ビームの一様性及び所定の効果に関して既に説明した国際公開番号ＷＯ−Ａ００／２４，０６２に開示され及び特許請求の範囲に記載されたフラットトップチューリップコリメータのパフォーマンスの向上を示す。さらに、他を犠牲にして種々のパフォーマンス特性を最適化する際に幅広い選択を許容する。これによって、設計段階における柔軟性を更に高くすることができ、ＬＥＤ及びコリメーション光学系を採用する種々のアプリケーションにおける向上が図られる。この発明によれば、コリメーション光学系の種々の光学的な面は、有限な（すなわち、微小でない）ＬＥＤソースサイズに起因する角度誤差を減少するために一つ以上の構成上のルールに従って規定される。
【０００６】
この発明の利点は、五つの主要な特性（１）ビーム発散角（２）出射孔径ｄｅ（３）全長ｈ（４）出射ビームの空間的な一様性及び（５）効率ηに関することが明細書中に記載されている。θ及びｄｅが最終的には基本的な理論−エテンドゥ（ｅｔｅｎｄｕｅ）の変換に関連し、最初の記載は、ｄｅのある固定値すなわち３０ｍｍに調整される。これは、任意であり、簡単のために示しただけであり、あり得る設計選択の一般性を制約するものではない。以下の説明において、パフォーマンスを、２．７５ｍｍ半球レンズを有する標準的なＬＥＤパッケージの１ｍｍ２のＬＥＤチップを有する３０ｍｍフラットトップチューリップコリメータに関連して説明する。以後、これを、「基準コリメータ２０」と称し、図１Ａに示す。さらに、ビームの９０％を包囲するテーパ角の半分を「ビーム発散角」とし、この角度を角度θ９０％と称する。
【０００７】
発明の開示
本発明の目的は、他の領域のパフォーマンスを犠牲にすることなくフラットトップチューリップコリメータの一つ以上の所望の特性の向上を取得することである。ここでは、向上に対するそのような領域を、高パフォーマンスの白色光照明、投影型ディスプレイ、並びに合図及び照明用の発光器を含む複数の個別のアプリケーションに関して説明する。
【０００８】
特に赤色、緑色及び青色（“ＲＧＢ”ＬＥＤ）の色混合を含む、高パフォーマンスの白色照明に対して、上記特性の全てが重要となる。特に、２０００年１０月３１日に発行されるとともに本願と同一の譲受人に割り当てられた米国特許番号第６，１３９，１６６号の請求の範囲に記載したようなビームスプリッタミキサのような決定的な色混合形態に対して、必須となるのはビームの一様性である。その形態において、種々のＲＧＢビームが重ね合わせられるため、このことが当てはまり、これらのビームが一様でない場合（すなわち、これらビームがイメージ情報を含む場合）、許容できない色誤差が生じる。特に、基準コリメータのレンズは、一般に方形でボンドワイヤアタッチメント、コンタクト電極及び任意に設けられる不所望な空間的な非一様性を有する実際のＬＥＤチップのイメージを形成し、したがって、そのようなアプリケーションのパフォーマンスが劣化する。レンズに拡散面特性を追加することによって、結像が崩れるが、基準コリメータにおいて、これはθ９０％も増大し、これは不所望である。
【０００９】
本発明の他の目的は、レフレクタの発散を小さい状態に維持しながら（滑らかな）レンズ部のビーム発散角をレフレクタ部のビーム発散角よりも小さくなるようにフラットトップチューリップコリメータを変形することである。これによって、全体の発散を低くしながら、レンズの拡散面を用いた結像の崩壊を許容する。
投影ビデオのようなアプリケーションに対して、一定のエテンドゥーターゲットで取得しうる光の絶対量は、非常に重要なパラメータであるが、光は一様である必要がある。そのようなシステムは、典型的には、ある種の空間的に均一の光学系（すなわち、「インテグレータ」）を必要とするが、初期のビームが良好な一様性を有するのが望ましい。（全てではないが）多数のアプリケーションにおいて、光路をできるだけコンパクトに保持することは重大な利点である。
【００１０】
本発明の他の目的は、これら及び他の重要なパラメータの間で優先順位をつけるとともに最適化を行う手段を提供して、投影ビデオアプリケーションが、そのような基準コリメータより優れた一つ以上のパフォーマンスの利点を達成することである。
【００１１】
合図を送る又は照明のための発光体のようなアプリケーションに対して、ビームの一様性が重要でない点を除いて、投影ビデオと同様な要求が課される。その理由は、受光を行う光ファイバ又は光パイプは、ビームをほぼ均一にする。したがって、最適なコリメーション及び全体的な光スループットを、一様性（結像）も問題を犠牲にして強調することができる。このような特定の最適化を容易にすることも、本発明の他の目的である。
【００１２】
本発明のこれら及び他の目的は、ＬＥＤ及び回転対称でボウル形状のコリメータレンズを具え、そのコリメータレンズが、屈折内壁と、反射外壁と、前記ＬＥＤが配置される凹部を有する入射孔を有する第１面とを有し、前記コリメータレンズに、前記ＬＥＤから発生した光が生じる（平坦又は湾曲した）第２面も設けたＬＥＤモジュールにおいて、前記ＬＥＤモジュールが、以下の構造：
（１）湾曲部を有する入射孔に屈折内面の凹部の円錐壁部、及び前記入射孔において光源の十分なコリメーションを行うために前記屈折内面の構造に従って構成した反射外面；
（２）ＬＥＤソースから離間して凹部を設けたレンズの第１面；
（３）前記レンズの屈折機能を分割する前記屈折壁の２面
のうちの一つ以上も有することを特徴とするＬＥＤモジュールによって達成される。
【００１３】
本発明の好適例において、前記入射孔の前記屈折内壁の凹部の前記円錐壁部が、湾曲部を有し、屈折内面の湾曲部が、光軸からの第１角を成し、その第１角は、基準コリメータの屈折壁の比較しうる部分の光軸からの第２角に比べて大きい。例えば、光軸（ｚ軸）に対して４５°の角度でＬＥＤチップの中心から屈折内壁までの距離ｄ２は、図２の好適例に対して、基準コリメータの比較しうる距離ｄ１に比べて大きくなる。これによって、ＬＥＤチップの拡張した（すなわち微小でない）サイズに起因してビームの拡散を減少する。
【００１４】
本発明の他の好適例において、入射孔の屈折内壁の凹部の円錐壁部の変形は、前記光軸に対して９０°の角度の前記屈折内壁の一部に対する正接の傾斜角が基準コリメータの屈折壁の比較しうる部分に比べて垂直面から離間した構造を設けることによって、前記湾曲部を達成する。これは、初期の屈折（光軸に対して９０°の光）の急峻さを増大し、したがって、反射外壁の湾曲の急峻さも増大する。これによって、更にコンパクト（であるとともに、更にエテンドゥーに有効な）設計を許容する。
【００１５】
本発明の特に好適な例において、前記屈折内壁の表面を、一定倍率指定を用いて構成し、これによって、入力ビームの極角方向余弦の等間隔が出力ビームの軸からの半径距離の等間隔に写像するように、前記屈折壁及び前記反射壁を設定する。面は点ごとに規定され、内面壁は、極角が減少するに従って光軸に向かって内側に向かい、曲がって光軸から傾斜するおそれがある。
【００１６】
本発明の他の例において、入射孔における屈折内壁の凹部の円錐壁部の変形では、屈折内壁面に対する平均入射角が直角入射に近い値となるよう構成した構造において湾局部を達成する。
本発明の他の例において、レンズの第１面には、レンズ面の始点が焦点からのラインに沿ってシフトしてＬＥＤソースからのエッジ光線がレンズ面に対する直接の視線を有するような構造においてＬＥＤソースから離間して凹部が形成される。
【００１７】
本発明の他の例において、レンズは、第１面と第２面との間で分割され、第１面は、ＬＥＤ中心に頂点を有する光軸の回りにテーパ角レンズθの円錐内に存在する凹部の境界面の部分である。
第２面を、平坦な上面又は湾曲した上面とする。
レンズは拡散素子も備え、すなわち、（周知である拡散素子を設ける技術を用いて）レンズ内で一様性を向上する。
【００１８】
本発明のフラットトップ変形に対して、ＬＥＤモジュールは、コリメータレンズの第２面に固定した個別のホイルに設けた鋸歯形状構造を具える。さらに、鋸歯構造は、存在する場合、レンズの面にプレスされ、そのような面は、既に言及した係属中の出願に開示したような複製技術によって得られる。この技術において、熱的に硬化することができる又はＵＶによって硬化することができる材料を、既知のレンズの平坦面に設ける。次いで、意図した鋸歯形状の構造のネガをアクティブ面に設けたテンプレートをこの液体にプレスし、その後、液体を熱又はＵＶ照射に露出することによって硬化する。次いで、テンプレートを除去する。この方法によって、本発明の所定の実施の形態におけるレンズ全体を単一ステップで製造することができる。特定の（メチル）メタクリル酸エステル（ｍｅｔｈａｃｒｙｌａｔｅ）化合物は、意図したコリメータレンズの製造に非常に適切である。
【００１９】
また、本発明は、複数のＬＥＤモジュールを収容するボックス状のハウジングを具える照明装置に関し、各モジュールは、本発明による構造を有するＬＥＤ及びコリメータレンズを有する。
原理的には、成形可能なガラスのコリメータレンズを用いることができる。しかしながら、実際には、射出成形によって熱可塑性合成樹脂のコリメータレンズを設けるのがより簡単である。ポリカーボネート、（メチル）メタクリル酸エステル化合物のレンズを用いることによって、良好な結果が得られ、意図したコリメータレンズの製造についても同様である。
【００２０】
発明を実施するための最良の形態
図面中、同様な参照番号は同様なパーツを表す。図面は寸法通りではない。
従来及び上記国際公開番号ＷＯ−Ａ  ００・２４，０６２に記載されたようなコリメーティング素子を示した図１Ａ及び１Ｂを参照すると、ＬＥＤ光源すなわちモジュールは、コリメーティング素子２の実施の形態に関連する。ＬＥＤ１は、ボウル形状のコリメーティング素子２の凹部４に配置される。コリメーティング素子２は、光軸３を有し、点灯中に発光する部材４を具える。図１Ａの例において、ＬＥＤ１の部材５に、例えばレンズの形態の光透過エンベロープ６を設ける。図１Ｂの例において、ＬＥＤを破線で表す。コリメーティング素子２は、ＬＥＤ１の光軸３に一致する光軸３を有する。ＬＥＤ１から発生する光が、コリメーティング素子２の光軸３に平行な方向に光学系から出射するように、コリメーティング素子２の形状を選択する。コリメーティング素子２の湾曲した外壁７の形状は、パラボラの回転部材の外周面の形状にある程度近似される。ＬＥＤ１は、このような近似的なパラボラの焦点に配置される。設計に際し、ＬＥＤから出射する（とともにＬＥＤパッケージの半球レンズを通過する）光が、（光軸に対する）θレンズ以下の角度でレンズ面８に当たった後に反射し、平坦面１０を透過して、出力ビームの位置を形成するようにする。さらに、ＬＥＤから出射する（とともにＬＥＤパッケージの半球レンズを通過する）光が、（光軸に対する）θレンズ以下の角度でレンズ面９に当たった後に反射し、更に面７で反射されてから平坦面１０を透過して、出力ビームの位置を形成するようにする。面９，１０はそれぞれ、ほぼ円柱形状又は平坦形状である。図１Ａ及び１Ｂも、ＬＥＤ１から発生した光の大部分の光路を矢印によって示す。これは、レンズ面８における偏向又は面９における偏向及びレンズ面７における全反射を通じてコリメーティング素子２によって平行ビームに変換される。コリメーティング素子１の表面８を湾曲して、ＬＥＤ１から発生して面８に当たった光は、面８を通過した後に平行光ビームを形成し、その光ビームは、コリメーティング素子２の光軸３に平行に延在する（屈折）。さらに、表面７を湾曲して、ＬＥＤ１から発生するとともに面７に当たる光が十分に（図１Ｂの鋸歯状の構造１１の）面１０の方向に反射され、コリメーティング素子２の光軸３に平行に延在する平行な光ビームが形成されるようにする。
【００２１】
本発明の変形された設計は、図１に示すフラットトップチューリップ（Ｆｌａｔ Ｔｏｐ Ｔｕｌｉｐ）と同一構造を有する。しかしながら、互いにほとんど相違する形状及びパフォーマンスに起因する二つの主な追加（１）内側屈折壁の追加及び（２）レンズの追加がある。これらの追加のいずれか一方又は両方を、任意のある特定の設計に採用することができ、各々の追加を、所望の結果に応じて互いに相違する種々の指定に依存して行うことができる。
【００２２】
一般に、追加は、以下の一つ以上を有する構造によって実現される。
（１）入射孔３の内側屈折壁９の凹部４の円錐壁部を、湾曲部９’を有するように変形し、外側反射壁７を、上記内側屈折壁９の上記変形に従って再構成して、入射孔における光源１の十分なコリメーションが行われ、及び／又は、
（２）ＬＥＤ光源１から離間してレンズ２の第１基板８に凹部を形成し、及び／又は、
（３）レンズの屈折機能が、屈折壁の２面間でレンズを分割する（すなわち、光軸の周りでテーパ角θのレンズの円錐内にある凹部４の境界面の一部がＬＥＤ中心で頂点を有する。）。このレンズは、単一湾曲面８及び平坦な上部１０を有し、又は、一方を８で表すとともに他方を上面１０の湾曲部１１によって表した（各々が大きな曲率半径の）二つの湾曲面を有する（図５及び６参照）。
【００２３】
入射孔の窪みの円錐壁（すなわち、直線断面）を、さらに一般的な湾曲壁の設計に置換することができる。この場合、コリメーションのために、外側反射壁の曲率を再計算し及び再構成する必要がある。内壁に対する任意の変更は、焦点における理想的な点光源を二つの面によって完全にコリメートするように外壁を変更することによって自動的に行われる。したがって、内壁形状を表現するだけで十分である。このような追加は、ある一般的な原理に一致する向上を許容する。この追加によって、内側反射壁が、基準コリメータに比べて、平均してＬＥＤソース１から更に離間することができ、これによって、有限なソースサイズに起因する角度誤差を減少し、したがって、ビーム発散度が減少し、（２）入射孔３の面に近接する領域の基準コリメータの場合に比べて壁部に対する正接の傾斜角を垂直から更に離すことによって、外側壁７は、先ず、更に急速に上側に傾斜する。外側壁面７が、次の点を発生するために以前に規定された点を用いてステップ状に規定されるので、この最初の勾配は、更にコンパクトな設計に寄与し、（３）内壁面に対する平均入射角を自由に垂直方向の入射に近づけることができ、これによって、フレネル反射が減少し、効率の向上に寄与する。
【００２４】
内壁９の表面が複数の指定によって特定され、本発明がほとんどの一般的なケースをカバーすることを意図するとしても、互いに相違する二つの指定が詳細に研究され、それによって向上があることを示す。第１例は、ある点においてＴｒｕｅの米国特許番号第４，６４２，７４０号及びＳｈｉｍｉｚｕの米国特許番号第５，９６６，２５０号に類似する一定倍率指定（Ｃｏｎｓｔａｎｔ Ｍａｇｎｉｆｉｃａｔｉｏｎ ｐｒｅｓｃｒｉｐｔｉｏｎ）を用いる。本例において、入力ビームにおける極角方向の余弦の等間隔を出力ビームにおける軸からの半径距離の等間隔に写像するように、屈折壁９及び反射壁７を設定する。ある最大極角（典型的には本設計に対する９０°）から開始して（光軸に向かって）ある最小極角まで点ごとに面を規定し、それをθｌｅｎｓと記す（図１参照）。θｌｅｎｓの最小値の設計を見つけることによって、（結像）レンズ部を通過する全光束を減少し、ビームの一様性の向上に寄与する。極角が減少するに従って最初に光軸３に向かって内側にテーパ状になる内壁面９が屈曲して光軸から離れるようにするこのような設計仕様が、一般的な形態である。これによって、コリメータ２の製造が複雑になり、その場合、射出成形に２個のピースを必要とするが、レンズ位置及び指定に対して複数の光学的な利点を提供する。この例を図２に示し、この場合、入射孔３における屈折壁９に対する屈折内壁の凹部４の円錐壁部の変形を、基準コリメータ２０の屈折内壁９の比較しうる部分９’に比べてＬＥＤソースから離間するように構成する。例えば、反射内壁は、基準コリメータ２０におけるＬＥＤソースからの距離ｄ１より長いＬＥＤソースからの距離ｄ２を有し、これによってビーム発散度が減少する。本実施の形態において、全体的な高さが基準コリメータ２０に比べて低くなり、出射孔１０は幾分平坦な面となり、それは、所定の用途に対して有利である。
【００２５】
屈折内壁の構造を決定する他の技術において、機能的な形態は壁部を規定するよう選択され、要求される外壁リフレクタ形状は、上記点光源基準から決定される。この手順は、実際的な利点及び不都合を有する。利点は、壁形状全体に亘ってフルカラーになる点であり、これによって、（フレネル損失を最小にするための面の法線の方向の制御を通じて）効率を良好に制御する。それは、レンズ配置全体に亘って更に正確な制御となる。したがって、この技術によって小型のレンズ設計を容易にする。不都合な点は、対応する出射孔が既知でなく、上記手順によって反射外壁９を計算することによって出射孔を見つける必要がある点である。また、コリメーションを予測するのが困難であり、コリメーションを試行錯誤によって決定する必要がある。これは重大な問題でないが、経験が得られるまでやや低速になるおそれがある。基本形態の式ｚ＝ａ／ｘ＋ｂを規定することによって達成される本発明の実施の形態を、図３に示す。本例において、入射孔３に近接する凹部４の屈折内壁９は湾曲部９’を有し、この場合、上記部分に対する正接の勾配角は、基準コリメータ２０に対する比較しうる角に比べて著しく大きい角度で垂直方向に対して傾斜している。この点における表面の正接は、この領域の極率がほとんどなく、直線に対する正接はラインそれ自体であるので、曲線それ自体のラインとなる。当該角度を、この点を通じて上側に小さい垂直線を描写するとともに垂線と直線との間で（半時計回りの）角度を表すことによって示す。基準コリメータにおいて、角度は２°である。ここで説明した本発明の実施の形態において、角度は約４５°である。
【００２６】
レンズは、既に説明した内壁の終点によって決定される極角θｌｅｎｓを規定する。基準コリメータ２０によれば、レンズを、開始点から点ごとに規定して、点光源の光線ａ，ｂを光軸３に平行に指導する（その結果、更なる屈折が生じることなく平坦な出射孔１０を出射する。）。このような指定を用いることができ、それを図２及び３に示すが、本発明は、向上したパフォーマンスを許容する他の複数のあり得る追加を記載する。既に説明したように、所望の特性（１）ＬＥＤソース１から離間してレンズの第１面８に凹部を形成することができ、（２）レンズの屈折機能を２面で分割できるようにするために、個別に又は組み合わせて用いることができる２タイプの追加がある。後者のオプションは、望ましい「フラップトップ」形態を（少なくともレンズ素子に対して）妨害されるが、コリメーションパフォーマンスを向上する。
【００２７】
凹部を設けたレンズ設計を実現するために、レンズ面の始点が光源からシフトされ、（光軸から離間するように）半径方向で外側にシフトする。最初の点は、延長した光源からの極端なエッジ光線（ｅｘｔｒｅｍｅ ｅｄｇｅ ｒａｙ ｆｒｏｍ ｔｈｅ ｅｘｔｅｎｄｅｄ ｓｏｕｒｃｅ）がレンズ面に対して直接的な視線を有するように選択した焦点からのラインに沿ってシフトされて、レンズが任意の反射光を妨害しない。この場合、レンズは、標準的な指定によって規定されて、焦点からの光を完全にコリメートする。そのような状況を図４に示す。実際には、凹部を有するレンズ形態は、反射光に陰影をつけることなく凹部を大きくすることができるので、大きな入射孔を有するレフレクタ設計の例によって容易にされる。
【００２８】
（第１面に凹部がない場合に対する）２面レンズを最も効率的に実現するために、第２面に対する始点を、既に説明した凹部を有する第１面と同様な考えを用いて選択し、すなわち、第２面に対する始点をできるだけ上方及び外側に移動する必要がある。この結果、第１面が最も緩やかな曲率となり、（所定の線形変位に対して角度誤差が小さくなるのが原因で）コリメーションが減少する。この原理を用いた本発明の実施の形態の一例を図５に示す。凹部を設けたレンズそれ自体に対する場合のように、本実施の形態は、比較的大きな入射孔３を伴い、その結果、第２レンズ面１０を、反射光に陰影をつけることなく、非常に大きな径となるよう選択することができる。
【００２９】
図５の実施の形態は、射出成形を単一ピースで行えることを含む多数の利点を有する（図４の実施の形態は、レンズに凹部を設けることによって形成される中空キャビティのために、単一ピースとして容易に成形できない。）。しかしながら、レンズ部が非常に大きなテーパ角（θｌｅｎｓ＝３８°）を成し、幾分強力にＬＥＤチップをイメージする傾向の設計を行い、その結果、一様でないビームプロファイルとなる。
【００３０】
図６は、既に説明し及び図示した本発明の複数の実施の形態の組合せの例である。特定の目的を達成するために既に説明した素子の設計を組み合わせる方法の一例として、図６は、凹部のある第１面８を有する２面レンズ設計を示す。この設計は、複数の有用な特徴を有する。先ず、レンズは、図５の設計に比べて小さい角度を成す（θｌｅｎｓ＝２５．６°）。幾分重要なことは、第１面の極端な凹部及び全体に亘る２面設計のために、レンズ部は、レフレクタ部の場合に比べて細かく基準ＬＥＤチップに対してコリメートを行う（全光束の９０％において３．３％対５．０％）。通常、このようなバランスの欠如は、設計的な欠陥となるが、コリメーション及びビームプロファイルの一様性を最適化するために、本実施の形態は有用である。所望の結果を得るために、（例えば、ビード−ブラスト（ｂｅａｄ−ｂｌａｓｔｉｎｇ）によって表面を粗くすることによって）レンズ面を僅かに拡散性にして、レンズを通過する（広がった）ビームは、レフレクタ部を通じたビームを比較的拡散性にする。実質的な効果は、拡散素子がレンズの結像を破壊しても、反射されたビームに悪影響が及ぼされず、全体に亘るビームは、一様なプロファイルでできるだけ狭くなる。
本発明は、上記実施の形態に限定されるものではなく、幾多の変更及び変形が可能である。
【図面の簡単な説明】
【図１】１Ａは、既知のＬＥＤモジュールの例の線形断面図であり、１Ｂは、出現する光を偏向する鋸歯形状構造を有するフラットトップチューリップコリメータの線形断面図である。
【図２】本発明によるＬＥＤモジュールの第１の実施の形態の線形断面図である。
【図３】本発明によるＬＥＤモジュールの第２の実施の形態の線形断面図である。
【図４】本発明によるＬＥＤモジュールの第３の実施の形態の線形断面図である。
【図５】本発明によるＬＥＤモジュールの第４の実施の形態の線形断面図である。
【図６】本発明によるＬＥＤモジュールの第５の実施の形態の線形断面図である。
【図１】
2004516684.tif 000003
【国際公開パンフレット】
2004516684.tif 000004
2004516684.tif 000005
2004516684.tif 000006
2004516684.tif 000007
2004516684.tif 000008
2004516684.tif 000009
2004516684.tif 000010
2004516684.tif 000011
2004516684.tif 000012
2004516684.tif 000013
2004516684.tif 000014
2004516684.tif 000015
2004516684.tif 000016
2004516684.tif 000017
2004516684.tif 000018
2004516684.tif 000019
2004516684.tif 000020
2004516684.tif 000021
2004516684.tif 000022
【国際調査報告】
2004516684.tif 000023
2004516684.tif 000024
2004516684.tif 000025